(57)【要約】インプラントデバイスは、支持手段によってインプラント（１）に連結されたロッドからなる伸延または圧縮要素を維持するために使用され、伸延または圧縮要素を締結しブロックするための手段を備える支持ピースと相互作用するため、ねじ山付きスタッド（１０）及びヘッド（１１）を備えるタイプである。ねじ山付きピース（１０）は、２つのゾーン（２，３）、すなわち、遠位端ゾーン（２）であって、円錐プロファイル、及び、海綿骨のために構成されるワイドターンを有するねじ山（２１）を有する遠位端ゾーン（２）、ならびに、近位ゾーン（３）であって、円錐プロファイルを有し、遠位部分（２）の円錐角度（β）より小さい円錐角度（α）を有し、骨の皮質のために構成される狭いねじ山（３１）、すなわち、シャープで、薄く、深いねじ山（３１）を有する近位ゾーン（３）を備え、一方、ウェブ（３２）は平らである。【選択図】図２
2019506993.tif 000002
【特許請求の範囲】
【請求項１】
支持手段を通してインプラント（１）に接続されたバー、または、前記インプラント（１）の通過のための穴を穿孔されたプレートからなる伸延または圧縮要素を維持するために使用され、ねじ山付きシャンク（１０）、ならびに、ヘッド（１１）を機動させるためのキャビティ（１２）が設けられたヘッド（１１）を備えるタイプであり、前記ヘッド（１１）上で旋回し、前記ヘッド（１１）内で固定化されることができる支持ピースと協働することを意図される球のまたは部分的に球の部分（１３）を有し、前記支持ピースは、伸延または圧縮要素を締結しブロックするための手段を含む、インプラントデバイスであって、前記ねじ山付き部分（１０）は、２つのゾーン（２，３）、すなわち、遠位端ゾーン（２）であって、円錐プロファイルを有し、遠位端ゾーン（２）のねじ山（２１）は、ワイドターンによって、海綿骨のために構成される遠位端ゾーン（２）及び近位ゾーン（３）であって、円錐プロファイルを有し、前記遠位部分（２）のテーパ角度（β）より小さいテーパ角度（α）を有し、近位ゾーン（３）のねじ山（３１）は、細目であり、骨の皮質のために構成される、すなわち、近位ゾーン（３）は、細目でかつ深くシャープなねじ山（３１）を含み、一方、コア（３２）はフラットであり、前記２つのねじ山（１０，２０）は、同じピッチまたは非常に近いピッチを有することを特徴とする、インプラントデバイス。
【請求項２】
密度センサを備えるピンの挿入を可能にするように構成されるカニューレ（１４）を含むことを特徴とする、請求項１に記載のインプラントデバイス。
【請求項３】
前記近位ゾーン（３）は１°のテーパを有し、一方、前記遠位ゾーン（２）は４°のテーパを有することを特徴とする、請求項１または請求項２に記載のインプラントデバイス。
【請求項４】
前記遠位ゾーン（２）及び前記近位ゾーン（３）のねじ山ピッチ（２０，３０）が異なるとき、前記近位ゾーン（３）のねじ山（３０）は、前記遠位ゾーン（２）のピッチより小さいピッチを有することを特徴とする、請求項１〜３のいずれか１項に記載のインプラントデバイス。
【請求項５】
前記ピッチの値の差は２０％未満であることを特徴とする、請求項４に記載のインプラントデバイス。
【請求項６】
前記遠位ゾーン（２）のねじ山（２０）は、円形フィレットを含み、前記近位ゾーン（３）のねじ山（３０）の深さと同じ深さを有することを特徴とする、請求項１〜５のいずれか１項に記載のインプラントデバイス。
【請求項７】
前記遠位ゾーン（２）は、３つの自己タッピングスリット（２３）を備えることを特徴とする、請求項１〜６のいずれか１項に記載のインプラントデバイス。
【請求項８】
インプラントデバイスの自由端は、シャープな螺旋（２４）を含むことを特徴とする、請求項１〜７のいずれか１項に記載のインプラントデバイス。
【発明の詳細な説明】
【発明の詳細な説明】
【０００１】
本発明は、骨接合のための、特に、椎骨の骨接合のためのインプラントデバイスに関する。
より詳細には、本発明は、概して、支持手段を通してインプラントに接続されたバー、または、インプラントの通過のための穴を穿孔されたプレートからなる、伸延または圧縮要素を維持するためのインプラントに関する。
【０００２】
こうしたインプラントは、例えば、仏国特許第２，８８０，２５４号公報に記載される。この種のインプラントは、ねじ山付きシャンクを備えるねじ、ならびにキャビティを備えるヘッドからなり、キャビティはヘッドを機動させ、インプラントは、前記ヘッド上で旋回し、前記ヘッド内で固定化されることができる支持ピースと協働することを意図される球のまたは部分的に球の部分を有し、前記支持ピースは、伸延または圧縮要素を締結しブロックするための手段を含む。
【０００３】
これらのインプラントデバイスの多くの代替物が存在し、それらは、伸延または圧縮バーを締結しブロックするための手段に関して本質的に異なる。
しかし、全てのインプラントデバイスは、同じ欠点を有し、すなわち、基本的に固定に信頼性がなく、さらに、かなり急速な骨瘢痕化を引き起こす。
【０００４】
一部の文書において、米国特許出願公開第２０１３２５３５９４号公報及び米国特許出願公開第２０１４０１２３３４号公報の場合のように、長手方向において、別個のゾーンを有するねじ山付きインプラント、特に、異なるピッチを有している別個のゾーンを有するねじ山付きインプラントが提案されているが、長いピッチを含む部分が、インプラントの移動速度を加速し、それにより、短いピッチを含む部分のピッチが、タッピングを実施するのではなく、穴を穿孔する傾向があり、それが、固定にとって有害であるという欠点を有する。
【０００５】
椎弓根インプラントの埋め込み後に遭遇する主要な問題の１つは、ねじと椎弓根の内側部分との間の椎弓根内のインプラントの可動性チャンバの生成である。この可動性は、ねじのコアと皮質骨との間で埋め込み時に細胞にかかる強い圧力に起因する細胞分解による。
【０００６】
本発明は、先に述べた種々の欠点を解決することを可能にするインプラントデバイスを提案することを目標とする。
本発明によるインプラントデバイスは、支持手段を通してインプラントに接続されたバー、または、インプラントの通過のための穴を穿孔されたプレートからなる伸延または圧縮要素を維持するために使用され、ねじ山付きシャンク、ならびに、キャビティが設けられたヘッドを備えるタイプであり、キャビティはヘッドを機動させ、インプラントデバイスは、前記ヘッド上で旋回し、前記ヘッド内で固定化されることができる支持ピースと協働することを意図される球のまたは部分的に球の部分を有し、前記支持ピースは、伸延または圧縮要素を締結しブロックするための手段を含み、インプラントデバイスは、前記ねじ山付き部分が、２つのゾーン、すなわち、遠位端ゾーンであって、円錐プロファイルを有し、ワイドターンを有する遠位端ゾーンのねじ山が、海綿骨のために構成される遠位端ゾーン及び近位ゾーンであって、円錐プロファイルを有し、前記遠位部分のテーパ角度より小さいテーパ角度を有し、近位ゾーンのねじ山が、細目であり、骨の皮質のために構成される、すなわち、細目でかつ深くシャープなねじ山を含む近位ゾーンを含み、一方、コアは平らであること、及び、２つのねじ山が、同じピッチまたは非常に近いピッチを有することを本質的に特徴とする。
【０００７】
近位部分の構成、すなわち、一層小さいテーパ及び平らなコアに結合した、細目でかつ深い尖部を有するねじ山は、細胞分解を回避し、したがって、接触を改善することを可能にする。したがって、椎弓根の内側部分は、圧縮性が少なく、短期、中期、及び長期においてよりよい保持をもたらす。
【０００８】
このねじ山の目的は、骨細胞の過剰な圧縮なしで、最大の椎弓根内骨捕捉を有し、急速な骨形成を可能にすることである。このねじ山は、ねじ込みの終りに、椎弓根破壊の一因となる側圧応力なしで椎弓根内進行を提供するという特徴を有する。このねじ山は、排他的に、椎弓根ねじ山である。
【０００９】
本発明によるインプラントデバイスの１つの更なる特徴によれば、インプラントデバイスは、密度センサを備えるピンの挿入を可能にするように構成されるカニューレを含む。
本発明によるインプラントデバイスの別の更なる特徴によれば、近位ゾーンは１°のテーパを有し、一方、遠位ゾーンは４°のテーパを有する。
【００１０】
本発明によるインプラントデバイスの別の更なる特徴によれば、近位ゾーンのねじ山は、遠位ゾーンのピッチより小さいピッチを有する。
本発明によるインプラントデバイスの別の更なる特徴によれば、ピッチの値の差は、２０％未満である。
【００１１】
遠位ゾーンは、円形フィレットを備え、近位部分のねじ山と同じ深さを有する異なるねじ山を含む。遠位ゾーンは、その端にシャープな螺旋を有する。遠位ゾーンのテーパは、応力なしでゆるやかな挿入を可能にする。遠位ゾーンは、自己タッピング機能を発揮するため、傾斜に平行な３つのスリットを備える。
【００１２】
シャープな螺旋は、椎弓根破壊開始の一因となる皮質微小破壊をもたらすことなく、インプラントが骨に容易に挿入されることを可能にし、自己穿孔機能を発揮する。
こうした特徴を含むねじを容易に作ることができないことが留意されるであろう。そのため、ねじ山は、２つのステップで作られる。第１のステップにて、ねじ山は、渦巻きカッタを使用して遠位ゾーンにおいて作られ、その後、第２のステップにて、インサートを用いてターニングすることによって、近位ゾーンのねじ山が作られ、これら２つの作業の間に、第１の作業の停止ポイント及び第２の作業の開始ポイントを識別するためのステップを有する。
【００１３】
本発明によるインプラントデバイスの利点及び特徴は、幾つかの非制限的な実施形態を示す添付図面に対する以下の説明からより明瞭に現れる。
【図面の簡単な説明】
【００１４】
【図１】本発明によるインプラントデバイスの斜視図である。
【図２】同じインプラントデバイスの平面概略図である。
【図３】同じインプラントデバイスの一端からの平面図である。
【発明を実施するための形態】
【００１５】
図１及び２を参照すると、本発明によるインプラントデバイスが見られ、インプラントデバイスは、伸延または圧縮要素を維持するように設計された支持ピース（図示せず）に連結されることを意図されるねじ山付きロッド１を備える。ねじ山付きロッド１は、仏国特許第２，８８０，２５４号公報による、バーまたはバーと同様なものからなる、
ねじ山付きロッド１は、ねじ山付き部分１０、ヘッド１１を機動させるためのキャビティ１２を備えるヘッド１１、ならびに、支持部品（図示せず）の旋回協働を可能にする部分的に球の部分１３を含む。
【００１６】
本発明によれば、２つのゾーン、すなわち、遠位ゾーン２及び遠位ゾーン２とヘッド１１との間に延在する近位ゾーン３を含むねじ山付き部分１０が見られる。
ねじ山付き部分の２／５を超えて延在する遠位ゾーン２は、円錐形状を有し、手近な場合、非制限的にではないが好ましくは、このテーパは、長手方向軸ＸＸ’に対して４°の角度βを有する。
【００１７】
近位ゾーン３は、わずかに円錐の形状を有し、手近な場合、非制限的にではないが好ましくは、近位ゾーン３は、長手方向軸ＸＸ’に対して１°の角度αを有するテーパを有する。
近位ゾーン３のねじ山３０は、インプラントの全長の３／５を超えて、０．７ｍｍの細目でかつ深いシャープなターン３１を有し、一方、底部３２は平らである。このねじ山３０の目的は、骨細胞の過剰な圧縮なしで、最大の椎弓根内骨捕捉を有し、急速な骨形成を可能にすることである。このねじ山３０は、ねじ込みの終りに椎弓根破壊の一因となる側圧応力なしで椎弓根内進行を提供するという特徴を有する。このねじ山３０は、排他的に、椎弓根ねじ山である。
【００１８】
遠位ゾーン２は、円形フィレット２１を有し、近位部分３のねじ山３０と同じ深さを有し、凹状底部を有する、異なるねじ山２０を含む。
好ましくは、ねじ山２０及び３０は、同一ピッチを有する。しかし、遠位２及び近位３のそれぞれのゾーンのねじ山２０及び３０のピッチが異なる場合、非常に近い値を有し、ねじ山３０のピッチは、ねじ山３０のピッチより小さい。手近な場合、示す実施形態において、２つの値の間の偏差は約１５％である。
【００１９】
遠位ゾーン２は、同様に、自己タッピングノッチ２３を含み、図３に示すように、３つ存在する。
遠位ゾーン２の自由端は、シャープな螺旋２４で構成され、シャープな螺旋２４は、骨材料内への挿入に有利である。
【００２０】
図３において、インプラント１が軸方向カニューレ１４を含み、軸方向カニューレ１４は、インプラントの位置を決定することを可能にする密度センサを保持するピンの挿入のために意図される。 
【図１】
2019506993.tif 000003
【図２】
2019506993.tif 000004
【図３】
2019506993.tif 000005
【国際調査報告】
2019506993.tif 000006
2019506993.tif 000007
2019506993.tif 000008
2019506993.tif 000009
2019506993.tif 000010
2019506993.tif 000011